(57)【要約】【課題】騒音を抑制し、安定して集塵性能を維持可能な集塵装置を提供する。【解決手段】集塵装置２０は、筐体２０ａと、吸込口２１と、第一ノズル２９と、排出口２８とを備えている。筐体２０ａは、吸込空間２６を有する。吸込口２１は、室内から吸込空間２６に空気を吸い込みながら塵埃を取り込み可能とする。第一ノズル２９は、筐体２０ａの第一側壁２３に設けられ、第一側壁２３から第一側壁２３と対向する第二側壁２４に向かう第一方向３２に加圧空気を吹き出す。排出口２８は、第二側壁２４に設けられ、加圧空気と吸込空間２６に吸い込まれた空気と共に塵埃を排出する。そして、吸込口２１は、第一側壁２３と第二側壁２４との間において第一方向３２に沿って延設され、第一ノズル２９から吹き出される加圧空気に誘引されて外部から吸込空間２６内に誘引空気を吸い込む。【選択図】図２
2020195434.tif 000002
【特許請求の範囲】
【請求項１】
吸込空間を有する筐体と、
建築構造物の壁面の室内側下端部において前記筐体に設けられ、前記室内から前記吸込空間に空気を吸い込みながら塵埃を取り込み可能な吸込口と、
前記筐体の第一側壁に設けられ、前記第一側壁から前記第一側壁と対向する第二側壁に向かう第一方向に加圧空気を吹き出す第一ノズルと、
前記第二側壁に設けられ、前記加圧空気と前記吸込空間に吸い込まれた空気と共に前記塵埃を排出する排出口と、を備え、
前記吸込口は、前記第一側壁と前記第二側壁との間において前記第一方向に沿って延設され、前記第一ノズルから吹き出される前記加圧空気に誘引されて外部から前記吸込空間内に誘引空気を吸い込むことを特徴とする集塵装置。
【請求項２】
前記第一ノズルは、前記吸込口よりも上側で前記第一方向に前記加圧空気を吹き出すことを特徴とする請求項１に記載の集塵装置。
【請求項３】
前記第一側壁に設けられ、前記第一ノズルの先端よりも前記第一側壁側において、前記吸込口とは反対側の第三側壁に沿って前記加圧空気を吹き出す第二ノズルを備えたことを特徴とする請求項１又は２に記載の集塵装置。
【請求項４】
前記第二ノズルは、前記第一側壁において前記第一ノズルよりも下側に設けたことを特徴とする請求項３記載の集塵装置。
【発明の詳細な説明】
【技術分野】
【０００１】
本発明は、集塵装置に関する。
【背景技術】
【０００２】
壁面に設けた吸込口に直接塵埃を掃き込めるようにして掃除を行いやすくするようにしたセントラル集塵装置が知られている（例えば、特許文献１）。特許文献１に記載のセントラル集塵装置は、建物構造物等の居室毎に壁面（床面側）に設けられ塵埃を掃き込み可能な吸込口と、各居室の吸込口からダスタダクト（空気経路）を介して連通する集塵機とを備える。集塵機には送風機が設けられており、送風機の駆動により集塵機内に吸引の気流を生み出すことで、各居室の吸込口に掃き込まれた塵埃がダスタダクトを介して集塵機内に導かれ、集塵箱に集溜される。
【先行技術文献】
【特許文献】
【０００３】
【特許文献１】実願昭５２−０３９９４０号（実開昭５３−１３４５５５号）のマイクロフィルム
【発明の概要】
【発明が解決しようとする課題】
【０００４】
上記した従来のセントラル集塵装置では、各居室に設けられた吸込口から集塵機までのダストダクトの長さが居室毎にばらつくことになる。これにより、居室へ漏れる送風機の音量に差が生じ、また、ダストダクトの長さによっては共鳴が生じることで、居室により騒音が問題となるおそれがあった。
【０００５】
また、上記した従来のセントラル集塵装置には、集塵機内に吸引された塵埃が送風機のあるファン部を通過することを抑制するために、集塵箱とファン部との間にフィルタを設ける必要がある。よって、繰り返して運転するうちにフィルタが目詰まりを起こし、性能劣化を招くおそれがあった。
【０００６】
本発明は、上記課題を解決するためになされたものであり、騒音を抑制し、安定して集塵性能を維持可能な集塵装置を提供することを目的とする。
【課題を解決するための手段】
【０００７】
この目的を達成するために、本発明の集塵装置は、筐体と、吸込口と、第一ノズルと、排出口とを備えている。筐体は、吸込空間を有する。吸込口は、建築構造物の壁面の室内側下端部において筐体に設けられ、室内から吸込空間に空気を吸い込みながら塵埃を取り込み可能とする。第一ノズルは、筐体の第一側壁に設けられ、第一側壁から当該第一側壁と対向する第二側壁に向かう第一方向に加圧空気を吹き出す。排出口は、第二側壁に設けられ、加圧空気と吸込空間に吸い込まれた空気と共に塵埃を排出する。そして、吸込口は、第一側壁と第二側壁との間において第一方向に沿って延設され、第一ノズルから吹き出される加圧空気に誘引されて外部から吸込空間内に誘引空気を吸い込む。
【発明の効果】
【０００８】
本発明によれば、騒音を抑制し、安定した集塵性能を維持可能な集塵装置を実現できる。
【図面の簡単な説明】
【０００９】
【図１】図１は、本発明の一実施形態に係る集塵装置を含む集塵システムの概略接続図である。
【図２】図２（ａ）は、集塵装置の斜視図であり、図２（ｂ）は、壁面を取り外した状態での集塵装置の斜視図であり、図２（ｃ）は、壁面を取り外した状態であって、排出ダクトを取り付けた状態での集塵装置の斜視図である。
【図３】図３は、集塵装置を排出口側から見た側面図である。
【図４】図４（ａ）は、第一ノズルから加圧空気を吹き出した場合の空気の流れを集塵装置の排出口側から見た図であり、図４（ｂ）は、第一ノズルから加圧空気を吹き出した場合の空気の流れを集塵装置の斜めから見た図である。
【図５】図５は、第二ノズルによる塵埃の排出作用を説明するための図である。
【発明を実施するための形態】
【００１０】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置および接続形態などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１１】
まず、図１を参照して、本発明の一実施形態に係る集塵装置２０を含んで構成される集塵システム１の概略構成について説明する。図１は、その集塵システム１の概略接続図である。
【００１２】
集塵システム１は、建築構造物４０に構築され、建築構造物４０の居室５において掃き出された塵埃を回収するシステムである。集塵システム１は、複数の居室５のそれぞれに対して設けられた集塵装置２０により塵埃を取り込み、それぞれの集塵装置２０に取り付けられた排出ダクト１４を介して取り込んだ塵埃を回収箱１５にて回収する。
【００１３】
集塵システム１は、上記の集塵装置２０、排出ダクト１４、回収箱１５の他、コンプレッサ２、空気タンク３、分配器１６、レギュレータ１０、電磁弁１１、供給ダクト１２およびスイッチ１３を含んで構成されている。
【００１４】
コンプレッサ２は、空気を圧縮して加圧空気（圧縮空気）を生成するものであり、建築構造物４０の屋外に設置される。コンプレッサ２を建築構造物４０の屋外に設置することにより、コンプレッサ２において空気を圧縮する際に生じる騒音が屋内に漏れることを抑制できる。なお、集塵装置２０では、空気を圧縮して０．１〜０．３［ＭＰａ］の高い圧力にしたものを加圧空気として用いている。
【００１５】
なお、コンプレッサ２は、建築構造物４０とは別の構造物として建てられた小屋の中に設置されてもよい。また、防音対策を施すことにより、コンプレッサ２が建築構造物４０の屋内（例えば、建築構造物４０に設けられた機械室４）に設置されてもよい。
【００１６】
空気タンク３は、コンプレッサ２の出力側に接続されて、コンプレッサ２にて生成された加圧空気を蓄積するものであり、建築構造物４０の屋外に設置される。コンプレッサ２は、空気の圧縮に時間を要するため、常に加圧空気を出力することができない。コンプレッサ２により生成された加圧空気を空気タンク３に蓄積することで、空気タンク３から安定して加圧空気が出力される。
【００１７】
なお、空気タンク３は、建築構造物４０とは別の構造物として建てられた小屋の中に設
置されてもよいし、機械室４など建築構造物４０の屋内に設置されてもよい。また、集塵システム１において、空気タンク３は、必ずしも設けられなくてもよい。
【００１８】
空気タンク３に蓄積された加圧空気は、分配器１６に送られる。分配器１６は、加圧空気をそれぞれの集塵装置２０に分配するものであり、例えば建築構造物４０内に設けられた機械室４に設置される。分配器１６により分配された加圧空気は、それぞれの集塵装置２０に対応して設けられた供給ダクト１２を介して、各集塵装置２０に供給される。分配器１６が建築構造物４０の屋内に設けられることにより、建築構造物４０の屋内にいて集塵システム１を使用する使用者は、分配器１６の補修を容易に行うことができる。
【００１９】
なお、分配器１６は、機械室４以外の建築構造物４０の屋内に設置されてもよいし、建築構造物４０の屋外に設置されてもよい。建築構造物４０の屋外として、別に建てられた小屋の中であってもよいし、建築構造物４０の床下７または天井裏８であってもよい。
【００２０】
供給ダクト１２は、分配器１６より分配された加圧空気を対応する集塵装置２０へ供給するダクトである。分配器１６より延びた供給ダクト１２は、機械室４から天井裏８に延設され、居室５を構成する壁９の内部を通って対応する集塵装置２０と接続される。なお、集塵装置２０も壁９の内部で構成される。よって、供給ダクト１２が建築構造物４０内にいる人の目に触れることなく、分配器１６から各集塵装置２０へ加圧空気を供給できるので、建築構造物４０内の美観が損なわれることを抑制できる。
【００２１】
それぞれの供給ダクト１２の途中には、レギュレータ１０および電磁弁１１が設けられている。レギュレータ１０は、分配器１６から集塵装置２０へ供給される加圧空気の圧力を調整する。レギュレータ１０によって加圧空気の圧力を調整することで、集塵装置２０において吹き出される加圧空気の風量が容易に調整できる。
【００２２】
電磁弁１１は、その開閉によって供給ダクト１２における加圧空気の流路を開放または閉鎖するための弁である。集塵装置２０が設けられた居室５には、それぞれスイッチ１３が設けられている。スイッチ１３は、対応する居室５の集塵装置２０に接続された供給ダクト１２の電磁弁１１を開閉するためのものである。
【００２３】
使用者によりスイッチ１３がオンされると、対応する居室５の集塵装置２０に接続された供給ダクト１２の電磁弁１１が開き、その供給ダクト１２における加圧空気の流路が開放されて、その集塵装置２０に加圧空気が供給される。一方、使用者によりスイッチ１３がオフされると、対応する居室５の集塵装置２０に接続された供給ダクト１２の電磁弁１１が閉じ、その供給ダクト１２における加圧空気の流路が閉鎖されて、その集塵装置２０への加圧空気の供給が停止する。
【００２４】
レギュレータ１０および電磁弁１１は、機械室４に設けられ、建築構造物４０の屋内にいて集塵システム１を使用する使用者が、レギュレータ１０および電磁弁１１の補修を容易に行うことができるようになっている。
【００２５】
なお、レギュレータ１０および電磁弁１１は、機械室４以外の建築構造物４０の屋内に設置されてもよいし、建築構造物４０の屋外に設置されてもよい。建築構造物４０の屋外として、別に建てられた小屋の中であってもよいし、建築構造物４０の床下７または天井裏８であってもよい。また、レギュレータ１０および電磁弁１１は必ずしも同じ場所に設置される必要はない。ただし、レギュレータ１０および電磁弁１１が同じ場所に設置されれば、その補修容易性を高めることができる。
【００２６】
集塵装置２０は、居室５を構成する壁９の内側に設置され、居室５に面する壁面９ａの
室内側下端部において集塵装置２０の筐体２０ａに設けられた吸込口２１から、対応する居室５において掃き出された塵埃を取り込む。集塵装置２０の詳細構成については、図２および図３を参照して後述する。
【００２７】
それぞれの集塵装置２０において取り込まれた塵埃は、集塵装置２０において吹き出された加圧空気と、その加圧空気により誘引された後述の誘引空気と共に、それぞれの集塵装置２０に対応して設けられた排出ダクト１４を介して回収箱１５に送られる。それぞれの排出ダクト１４は、壁９の内側に設けられた集塵装置２０から、建築構造物４０の床下７を通って回収箱１５まで延設される。よって、排出ダクト１４が少なくとも居室５にいる人の目に触れることなく、集塵装置２０から回収箱１５へと塵埃を運ぶことができるので、少なくとも居室５の美観が損なわれることを抑制できる。
【００２８】
回収箱１５は、集塵システム１において１つだけ設けられており、それぞれの集塵装置２０により取り込まれ、対応する排出ダクト１４を介して送られてきた塵埃を、この１つの回収箱１５によって回収する。排出ダクト１４は、対応する集塵装置２０から運んできた塵埃を加圧空気および誘引空気と共に回収箱１５の上から下へと落とすように、回収箱１５に接続される。これにより、回収箱１５に設けられたゴミ箱に、塵埃を確実に落とすことができる。
【００２９】
一方、回収箱１５には、空気抜け穴（図示せず）が設けられており、排出ダクト１４を介して送られてきた加圧空気および誘引空気は、その空気抜け穴から排出される。よって、回収箱１５が加圧状態になることを抑制できる。
【００３０】
回収箱１５は、建築構造物４０の玄関６に設置される。玄関６に設置することで、建築構造物４０の居室５のそれぞれを汚すことなく、回収した塵埃を容易に外に運び出すことができる。なお、回収箱１５は、必ずしも玄関６に設置されなくてもよく、建築構造物４０の屋外に設置されてもよい。また、回収箱１５は、複数設けられてもよい。ただし、塵埃の回収の手間を抑制するために、回収箱１５は１つであることが望ましい。
【００３１】
次いで、図２および図３を参照して、本実施形態に係る集塵装置２０の詳細構成について説明する。図２（ａ）は、集塵装置２０の斜視図であり、図２（ｂ）は、壁面９ａを取り外した状態での集塵装置２０の斜視図であり、図２（ｃ）は、壁面９ａを取り外した状態であって、集塵装置２０に排出ダクト１４を取り付けた状態での集塵装置２０の斜視図である。また、図３は、集塵装置２０を排出口２８側から見た側面図である。
【００３２】
図２に示す通り、集塵装置２０は、壁面９ａと、第一側壁２３と、第一側壁２３と対向する第二側壁２４と、壁面９ａと対向する第三側壁（吸込口２１とは反対側の第三側壁）２２と、天板２５と、底板３１とによって、吸込空間２６を有する筐体２０ａが形成される。壁面９ａは、建築構造物４０において居室５を形成する壁９の壁面である。第一側壁２３は、居室５の壁面９ａ側から筐体２０ａを見た場合に右側に設けられた側壁である。筐体２０ａの内部は空洞となっており、その空洞によって吸込空間２６が構成される。なお、第一側壁２３の背面側には、後述する第一ノズル２９および第二ノズル３０に加圧空気を供給するための供給ホース（図示せず）が配置される空間２６ａが構成されている。
【００３３】
筐体２０ａには、壁面９ａにおいて居室５の室内側下端部（居室５の床面７ａと接する位置）に吸込口２１が設けられている。吸込口２１は、第一側壁２３と第二側壁２４との間において、第一側壁２３から第二側壁２４に向かう第一方向３２に沿って延設され、外部（即ち、居室５の室内）から吸込空間２６に空気を吸い込みながら、居室５において掃き出された塵埃を吸込空間２６に取り込み可能な開口である。吸込口２１は、所定の開口高さ（例えば、１０ｍｍ）を有する矩形形状の単一の開口であるが、複数の開口によって
構成されていてもよい。
【００３４】
また、図２および図３に示す通り、第一側壁２３には、第一ノズル２９と、第二ノズル３０とが設けられている。第一ノズル２９は、吸込口２１よりも上側（天板２５側）であって第二ノズル３０よりも吸込口２１側において、第一側壁２３から第二側壁２４に向かう第一方向３２に、供給ダクト１２より供給された加圧空気を吸込空間２６内に吹き出すように構成されている。第一ノズル２９は、第一側壁２３から第一方向３２に延びており、加圧空気が吹き出される先端が第一側壁２３と第二側壁２４との略中間部分に位置している。即ち、吸込口２１よりも上側であって吸込口２１に近い側において、第一側壁２３と第二側壁２４との略中間部分から第一ノズル２９より加圧空気が吹き出される。
【００３５】
第二ノズル３０は、第一ノズル２９の先端よりも第一側壁２３側において、吸込口２１とは反対側の第三側壁２２に沿って加圧空気を吹き出すように構成されている。即ち、第二ノズル３０は、加圧空気が吹き出される先端が第一ノズル２９の先端よりも第一側壁２３側に設けられている。また、第二ノズル３０は、第一側壁２３において第一ノズル２９よりも下側（底板３１側）に設けられている。ここで、第二ノズル３０の加圧空気を吹き出す吹出径が所定の径(例えば、第一ノズル２９の吹出径)よりも小さくなるように設定される。
【００３６】
なお、集塵装置２０の筐体２０ａは最大４つまで加圧空気を吹き出すノズルを装着可能とするために、図３に示すように、第一側壁２３に４つのノズル孔２３ａが設けられており、それぞれのノズル孔２３ａに一のノズルが装着できるように構成されている。本実施形態に係る集塵装置２０は、それぞれのノズル孔２３ａのうち、壁面９ａ側かつ上側（天板２５側）のノズル孔２３ａに第一ノズル２９が装着され、第三側壁２２側かつ下側（底板３１側）のノズル孔２３ａに第二ノズル３０が装着される。また、その他の２つのノズル孔２３ａにはノズルが非装着とされ、蓋によって塞がれている。これにより、吸込空間２６と空間２６ａとを分離でき、吸込空間２６において誘引気流４１が効率よく発生できる。
【００３７】
天板２５には、第一ノズル２９へ加圧空気を供給するための供給ホース（図示せず）と第二ノズル３０へ加圧空気を供給するための供給ホース（図示せず）とを通す孔２７が設けられている。供給ダクト１２は、集塵装置２０の手前でそれぞれの供給ホースと接続され、供給ホースのそれぞれが孔２７を通って空間２６ａ（第一側壁２３）において第一ノズル２９または第二ノズル３０と接続される。これにより、第一ノズル２９および第二ノズル３０には、供給ダクト１２から送られた加圧空気が供給され、それぞれの先端から加圧空気が吹き出される。
【００３８】
なお、図２において天板２５には孔２７が４つ開けられている。これは、上述した通り、集塵装置２０の筐体２０ａが最大４つまで加圧空気を吹き出すノズルを装着可能に構成されており、その４つのノズルのそれぞれに対して加圧空気を供給する供給ホースが通せるようにしたためである。よって、孔２７の数は、筐体２０ａに接続可能なノズルの数に応じて変更されてもよい。なお、供給ホースを通さず使用されていない孔２７は、蓋がされて塞がれている。
【００３９】
また、孔２７は、供給ホースでなく供給ダクト１２を通すものが１つだけ用意されてもよい。この場合、天板２５と第一側壁２３との間で、供給ダクト１２から第一ノズル２９および第二ノズル３０に供給する加圧空気を分岐し、分岐された加圧空気をそれぞれ第一ノズル２９または第二ノズル３０へ供給すればよい。
【００４０】
また、図２（ａ）に示す通り、集塵装置２０の第二側壁２４には、排出口２８が形成さ
れている。排出口２８は、第一ノズル２９および第二ノズル３０より吹き出された加圧空気と、吸込口２１より吸込空間２６に吸い込まれた空気と共に、吸込空間２６に取り込まれた塵埃を集塵装置２０から排出するための開口である。排出口２８には、図２（ｃ）に示すように、排出ダクト１４が取り付けられており、排出口２８から排出された塵埃は、加圧空気および吸込口２１より吸込空間２６に吸い込まれた空気にのって、排出ダクト１４を経由して回収箱１５へ運ばれる。
【００４１】
次いで、図４および図５を参照して、上記のように構成された集塵装置２０の作用および効果について説明する。まず、図４を参照して、第一ノズル２９による塵埃の吸引作用について説明する。図４（ａ）は、第一ノズル２９から加圧空気を吹き出した場合の空気の流れを集塵装置２０の排出口２８側から見た図であり、図４（ｂ）は、第一ノズル２９から加圧空気を吹き出した場合の空気の流れを集塵装置２０の斜めから見た図である。
【００４２】
第一ノズル２９から加圧空気が吹き出されると、吹き出された加圧空気による高速気流によってその周辺が低圧となり、図４（ａ）に示すように、周囲の空気が第一ノズル２９から吹き出される加圧空気に向かって流れ込む誘引気流４１が発生する。この誘引気流４１によって、吸込空間２６全体が低圧になり、吸込口２１を介して、居室５の室内から吸込空間２６内に誘引空気を吸い込む気流４２が生み出される。集塵装置２０は、居室５において掃き出され、この生み出された気流４２によって、吸込口２１付近に集められた塵埃を吸込口２１から吸込空間２６へと取り込むことができる。
【００４３】
吸込空間２６に取り込まれた塵埃は、第一ノズル２９（および第二ノズル３０）から吹き出された加圧空気と、吸込口２１より吸込空間２６に吸い込まれた空気（誘引空気）と共に、排出口２８から排出され、排出ダクト１４を介して回収箱１５に回収される。
【００４４】
このように、集塵装置２０は、加圧空気を吹き出すだけで、居室５から塵埃を取り込み、集めることができ、従来の集塵装置に用いられていた送風機を不要とすることができる。よって、集塵装置２０は、送風機による音漏れあるいはダクトによる共鳴の心配がなく、騒音を抑制できる。また、集塵装置２０は、送風機を用いないため、フィルタも不要とすることができる。よって、集塵装置２０は、フィルタの目詰まりによる性能劣化が生じることがなく、安定して集塵性能を維持することができる。
【００４５】
ここで、仮に第一ノズル２９において、加圧空気が吹き出される先端が第二側壁２４から離れて第一側壁２３寄りに設けられている場合、加圧空気による高速気流が第二側壁２４付近で弱まるために、第二側壁２４周辺で発生する誘引気流４１も弱く、第二側壁２４近くの吸込口２１から塵埃を取り込むことが難しくなる。一方、仮に第一ノズル２９において、加圧空気が吹き出される先端が第一側壁２３から離れて第二側壁２４寄りに設けられている場合、第一側壁２３付近の空気が高速気流によって誘引され難くなるため、第一側壁２３近くの吸込口２１から塵埃を取り込むことが難しくなる。
【００４６】
これに対し、本実施形態に係る集塵装置２０は、第一側壁２３と第二側壁２４との略中間部分から第一ノズル２９より加圧空気が吹き出されるように、第一ノズル２９の先端が設けられている。これにより、第一側壁２３付近の空気も第二側壁２４付近の空気も、第一ノズル２９より吹き出される加圧空気による高速気流によって確実に誘引されるので、図４（ｂ）に示す通り、吸込口２１全体で居室５の室内から吸込空間２６内に誘引空気を吸い込む気流４２を、生み出すことができる。よって、集塵装置２０は、吸込口２１全体で塵埃を取り込むことができる。
【００４７】
また、第一ノズル２９は、吸込口２１よりも上側で第一方向３２に加圧空気を吹き出すように構成されている。これにより、第一ノズル２９から吹き出される加圧空気による高
速気流が吸込口２１付近を流れることを抑制できる。よって、吸込口２１から吸い込まれる塵埃が、吸込口２１付近を流れる高速気流によって居室５側に跳ね返され、塵埃が吸込空間２６に取り込めない事態が生ずることを抑制できる。
【００４８】
さて、第一ノズル２９から加圧空気を吹き出すことで、居室５から取り込まれた塵埃は、その少なくとも一部が吸込空間２６内の吸込口２１とは反対側の第三側壁２２にぶつかり、その第三側壁２２付近で留まることが懸念される。特に、第一ノズル２９において加圧空気が吹き出される先端よりも第一側壁２３側においては、誘引気流４１が弱くなる可能性があるため、そのような懸念が顕著になる。第二ノズル３０は、そのような問題を解決するためのものである。
【００４９】
図５は、第二ノズル３０による塵埃の排出作用を説明するための図である。第二ノズル３０は、上記したように、第一側壁２３に設けられ、吸込口２１とは反対側の第三側壁２２に沿って加圧空気を吹き出す。これにより、第三側壁２２に沿って高速気流４３が生じるので、第三側壁２２付近に留まる塵埃を、第一側壁２３と対向する第二側壁２４に設けられた排出口２８に接続される排出ダクト１４へと、確実に排出できる。よって、第三側壁２２に付近に塵埃が貯まることを抑制できる。
【００５０】
また、第二ノズル３０は、第一ノズル２９の先端よりも第一側壁２３側において、第三側壁２２に沿って加圧空気を吹き出す。よって、第一ノズル２９の先端よりも第一側壁２３側から第三側壁２２に沿って高速気流４３が生じるので、その第一側壁２３側の第三側壁２２付近に留まる塵埃も確実に排出することができる。
【００５１】
また、第三側壁２２付近に留まる塵埃は、重力によって吸込空間２６の下方に集まるところ、第二ノズル３０は、第一側壁２３において第一ノズル２９よりも下側に設けられているので、第三側壁２２付近に留まる塵埃を第二ノズル３０から吹き出される加圧空気によって確実に排出できる。
【００５２】
また、第二ノズル３０の加圧空気を吹き出す吹出径が所定の径よりも小さくなるように、第二ノズル３０が構成されている。これにより、第二ノズル３０から吹き出される加圧空気の円錐状の広がり角度を抑制できる。よって、第二ノズル３０の加圧空気を吹き出す吹出径が小さいために、吸込口２１より取り込まれた塵埃が居室５に跳ね返されるような事態が発生することを抑制できる。
【００５３】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部または複数部分を、その実施形態に追加しあるいはその実施形態の構成の一部または複数部分と交換等することにより、その実施形態を変形して構成するようにしても良い。また、上記各実施形態で挙げた数値は一例であり、他の数値を採用することは当然可能である。
【００５４】
本実施の形態に係る集塵システム１では、集塵装置２０の底板３１の上面を居室５の床面７ａと面一となるように構成したが、これに限られない。例えば、底板３１を、壁面９ａ側から第三側壁２２側に向かって傾斜して低くなる構成としてもよい。これにより、吸込口２１より取り込まれた塵埃が居室５に跳ね返されるような事態が発生することをさらに抑制できる。
【００５５】
本実施の形態に係る集塵システム１では、集塵装置２０の吸込口２１に対して、加圧空気の送風に連動して開閉するシャッター（開閉扉）を設けるようにしてもよい。これによ
り、吸込口２１が少なくとも居室５にいる人の目に触れにくくなり、居室５の美観が損なわれることを抑制できる。
【００５６】
本実施の形態に係る集塵システム１では、集塵装置２０を居室５に設置していたが、これに限られない。例えば、建築構造物４０の廊下、洗面室、脱衣所等に設置するようにしてもよい。
【産業上の利用可能性】
【００５７】
本発明に係る集塵装置は、建築構造物の室内にて掃き出された塵埃を回収する集塵装置に適用可能である。
【符号の説明】
【００５８】
１        集塵システム
２        コンプレッサ
３        空気タンク
４        機械室
５        居室
６        玄関
７        床下
７ａ      床面
８        天井裏
９        壁
９ａ      壁面
１０      レギュレータ
１１      電磁弁
１２      供給ダクト
１３      スイッチ
１４      排出ダクト
１５      回収箱
１６      分配器
２０      集塵装置
２０ａ    筐体
２１      吸込口
２２      第三側壁
２３      第一側壁
２３ａ    ノズル孔
２４      第二側壁
２５      天板
２６      吸込空間
２６ａ    空間
２７      孔
２８      排出口
２９      第一ノズル
３０      第二ノズル
３１      底板
３２      第一方向
４０      建築構造物
４１      誘引気流
４２      気流
４３      高速気流
【図１】
2020195434.tif 000003
【図２】
2020195434.tif 000004
【図３】
2020195434.tif 000005
【図４】
2020195434.tif 000006
【図５】
2020195434.tif 000007